(57)【要約】【課題】ユーザの状況に応じて、適切なコミュニケーションを提案することである。【解決手段】コミュニケーション提案装置１０は、センシング対象のユーザの状況をセンシングする情報入力装置２０Ａ，２０Ｂからセンシングデータを受信する受信手段と、受信されたセンシングデータに基づいて、コミュニケーションの種類を決定し、決定したコミュニケーションの種類の提案情報を作成する提案情報作成手段と、作成されたコミュニケーションの種類の提案情報を情報通知装置３０Ａ，３０Ｂに送信する送信手段と、を備える。【選択図】図１
2014063291.tif 000002
【特許請求の範囲】
【請求項１】
センサ手段からユーザの状況を示すセンシングデータを受信する受信手段と、
前記受信されたセンシングデータに基づいて、コミュニケーションの種類を決定し、当該決定したコミュニケーションの種類の提案情報を作成する提案情報作成手段と、
前記作成されたコミュニケーションの種類の提案情報を提案先の情報通知装置に送信する送信手段と、を備えるコミュニケーション提案装置。
【請求項２】
前記提案情報作成手段は、前記受信されたセンシングデータに基づいて、前記ユーザの状態を判別し、当該判別した状態に応じてコミュニケーションの種類を決定する請求項１に記載のコミュニケーション提案装置。
【請求項３】
前記受信手段は、前記ユーザとして、提案先ユーザのコミュニケーションの相手ユーザの状況をセンシングしたセンシングデータを受信し、
前記提案情報作成手段は、前記受信された相手ユーザのセンシングデータに基づいて、コミュニケーションの種類を決定する請求項１又は２に記載のコミュニケーション提案装置。
【請求項４】
前記受信手段は、前記ユーザとして、前記提案先ユーザの状況をセンシングしたセンシングデータを受信し、
前記提案情報作成手段は、前記受信された提案先ユーザのセンシングデータに基づいて、コミュニケーションの種類を決定する請求項１又は２に記載のコミュニケーション提案装置。
【請求項５】
前記受信手段は、前記ユーザとして、前記提案先ユーザのコミュニケーションの相手ユーザと当該提案先ユーザとの状況をセンシングしたセンシングデータを受信し、
前記提案情報作成手段は、前記受信された相手ユーザ及び提案先ユーザのセンシングデータに基づいて、コミュニケーションの種類を決定する請求項１又は２に記載のコミュニケーション提案装置。
【請求項６】
前記提案情報作成手段は、センシングデータに基づくコミュニケーションの種類が複数ある場合に、当該複数のコミュニケーションの種類からランダムに選択してコミュニケーションの種類を決定する請求項１から５のいずれか一項に記載のコミュニケーション提案装置。
【請求項７】
センサからユーザの状況を示すセンシングデータを受信する受信工程と、
前記受信されたセンシングデータに基づいて、コミュニケーションの種類を決定し、当該決定したコミュニケーションの種類の提案情報を作成する提案情報作成工程と、
前記作成されたコミュニケーションの種類の提案情報を提案先の情報通知装置に送信する送信工程と、
を含むコミュニケーション提案方法。
【請求項８】
コンピュータを、
センサ手段からユーザの状況を示すセンシングデータを受信する受信手段、
前記受信されたセンシングデータに基づいて、コミュニケーションの種類を決定し、当該決定したコミュニケーションの種類の提案情報を作成する提案情報作成手段、
前記作成されたコミュニケーションの種類の提案情報を提案先のユーザの情報通知装置に送信する送信手段、
として機能させるプログラム。
【発明の詳細な説明】
【技術分野】
【０００１】
本発明は、ユーザ同士のコミュニケーションを提案するコミュニケーション提案装置、コミュニケーション提案方法及びプログラムに関する。
【背景技術】
【０００２】
従来、オフィス環境のユーザ、場所、物に複数のセンサノードを設置し、各センサノードで当該ユーザの状況をセンシングする方法が知られている。各センサノードは、オフィスの温度情報、湿度情報、ユーザの加速度情報、音声情報、脈拍情報等をセンシングする。そして、複数のセンサノードのセンシング結果のデータをサーバにアップロードし、当該サーバが、当該センシング結果のデータから当該ユーザの忙しさや行動を解析し、その解析結果を表示するシステムが知られている（例えば、特許文献１参照）。
【０００３】
上記システムにおいて、あるユーザの忙しさの解析結果を他のユーザが参照する。当該他のユーザは、解析されたユーザが忙しいか否かを判断し、忙しくない場合に、解析されたユーザに通話予約を入れ、通話を行う。
【先行技術文献】
【特許文献】
【０００４】
【特許文献１】特開２００９−２０６７２号公報
【発明の概要】
【発明が解決しようとする課題】
【０００５】
上記従来の技術では、他のユーザは、解析されたユーザとのコミュニケーションをとるタイミングを図ることができるものの、どのようなコミュニケーションをとればいいのか分からなかった。
【０００６】
本発明の課題は、ユーザの状況に応じて、適切なコミュニケーションを提案することである。
【課題を解決するための手段】
【０００７】
上記課題を解決するために、本発明のコミュニケーション提案装置は、
センサ手段からユーザの状況を示すセンシングデータを受信する受信手段と、
前記受信されたセンシングデータに基づいて、コミュニケーションの種類を決定し、当該決定したコミュニケーションの種類の提案情報を作成する提案情報作成手段と、
前記作成されたコミュニケーションの種類の提案情報を提案先の情報通知装置に送信する送信手段と、を備える。
【発明の効果】
【０００８】
本発明によれば、センシング対象のユーザの状況に応じて、適切なコミュニケーションを提案先のユーザに提案できる。提案先のユーザは、通知された提案情報に応じて、どのようなコミュニケーションをとればよいのかを認識できる。
【図面の簡単な説明】
【０００９】
【図１】本発明の実施の形態のコミュニケーション提案システムを示すブロック図である。
【図２】コミュニケーション提案装置の機能構成を示すブロック図である。
【図３】情報入力装置の機能構成を示すブロック図である。
【図４】情報通知装置の機能構成を示すブロック図である。
【図５】センシングデータとコミュニケーションの提案情報との流れを示す図である。
【図６】第１のコミュニケーション提案処理を示すフローチャートである。
【図７】第１のコミュニケーション提案処理の食事関連提案処理を示すフローチャートである。
【図８】第１のコミュニケーション提案処理の就寝関連提案処理を示すフローチャートである。
【図９】第１のコミュニケーション提案処理のテレビ関連提案処理を示すフローチャートである。
【図１０】第２のコミュニケーション提案処理を示すフローチャートである。
【発明を実施するための形態】
【００１０】
以下、添付図面を参照して本発明に係る実施の形態及び変形例を順に詳細に説明する。なお、本発明は、図示例に限定されるものではない。
【００１１】
（実施の形態）
図１〜図９を参照して、本発明に係る実施の形態を説明する。先ず、図１〜図４を参照して、本実施の形態の装置構成を説明する。図１は、本実施の形態のコミュニケーション提案システム１を示すブロック図である。図２は、コミュニケーション提案装置１０の機能構成を示すブロック図である。図３は、情報入力装置２０Ａの機能構成を示すブロック図である。図４は、情報通知装置３０Ａの機能構成を示すブロック図である。
【００１２】
図１に示すコミュニケーション提案システム１は、家２Ａに住むユーザＡと、家２Ｂに住むユーザＢと、の間のコミュニケーションを提案先のユーザＡ，Ｂに提案するシステムである。
【００１３】
家２Ａ，２Ｂは、一例として、それぞれ、キッチン、食堂、リビングルーム、寝室、テレビルームを有するものとする。ユーザＡ，Ｂは、例えば、同じ家族の構成員であるものとする。ユーザＡ，Ｂは、別々の家２Ａ，２Ｂに住むものの、お互いにコミュニケーションをとり合うことを希望している。
【００１４】
コミュニケーション提案システム１は、コミュニケーション提案装置１０と、センサ手段としての情報入力装置２０Ａ，２０Ｂと、情報通知装置３０Ａ，３０Ｂと、を備える。コミュニケーション提案システム１の各装置は、通信ネットワークＮを介して互いに通信接続されている。
【００１５】
通信ネットワークＮは、インターネット等の通信ネットワークである。情報入力装置２０Ａ及び情報通知装置３０Ａは、家２Ａ内に設置されている。情報入力装置２０Ｂ及び情報通知装置３０Ｂは、家２Ｂ内に設置されている。
【００１６】
情報入力装置２０Ａは、家２Ａ内におけるユーザＡの状況をセンシングし、通信ネットワークＮを介して、センシングしたデータをコミュニケーション提案装置１０に送信する装置である。情報入力装置２０Ｂは、家２Ｂ内におけるユーザＢの状況をセンシングし、通信ネットワークＮを介して、センシングしたデータをコミュニケーション提案装置１０に送信する装置である。情報入力装置２０Ａでセンシングされる状況は、例えば、ユーザＡが家２Ａ内の特定の部屋（キッチン、食堂、テレビルーム等）に所在するか否かの状態や、ユーザＡの環境（家２Ａ内の冷蔵庫の開閉、キッチンの温度、テレビの音）である。情報入力装置２０Ａと同様に、情報入力装置２０Ｂでセンシングされる状況は、家２Ｂ内のユーザＢの状態及び環境である。
【００１７】
コミュニケーション提案装置１０は、情報入力装置２０Ａ，２０ＢでセンシングされたユーザＡ，Ｂの状況のデータに基づいて、コミュニケーションを決定し、当該コミュニケーションの提案情報を作成して情報通知装置３０Ａ，３０Ｂに送信するサーバ装置である。
【００１８】
情報通知装置３０Ａは、コミュニケーション提案装置１０から送信されたユーザＡ用のコミュニケーションの提案情報を表示するＰＣ（Personal Computer）等の据え置き型の装置である。情報通知装置３０Ｂは、コミュニケーション提案装置１０から送信されたユーザＢ用のコミュニケーションの提案情報を表示するＰＣ等の据え置き型の装置である。なお、情報通知装置３０Ａ，３０Ｂは、ＰＤＡ（Personal Digital Assistant）、携帯電話機、スマートフォン、タブレット型コンピュータ等の携帯端末としてもよい。携帯端末としての情報通知装置３０Ａ，３０Ｂは、例えば、通信ネットワークＮに接続された基地局（図示略）や家２Ａ，２Ｂに設置されたアクセスポイント（図示略）との無線通信を介して、コミュニケーション提案装置１０と通信を行う。
【００１９】
次いで、図２を参照して、コミュニケーション提案装置１０の内部の機能構成を説明する。図２に示すように、コミュニケーション提案装置１０は、ＣＰＵ（Central Processing Unit）１１と、操作部１２と、ＲＡＭ（Random Access Memory）１３と、表示部１４と、記憶部１５と、通信部１６と、計時部１７と、を備える。コミュニケーション提案装置１０の各部は、バス１８を介して互いに接続されている。ＣＰＵ１１及び通信部１６は、受信手段、送信手段として機能する。また、ＣＰＵ１１は、提案情報作成手段として機能する。
【００２０】
ＣＰＵ１１は、コミュニケーション提案装置１０の各部を制御する。ＣＰＵ１１は、各種プログラムのうち指定されたプログラムを記憶部１５から読み出してＲＡＭ１３に展開し、展開されたプログラムとの協働で各種処理を実行する。
【００２１】
ＣＰＵ１１は、第１のコミュニケーション提案プログラム１５１に従い、通信部１６により情報入力装置２０Ａ，２０Ｂからセンシングデータ等を受信し、当該受信したセンシングデータ等に基づいて、コミュニケーションの種類を決定し、当該決定したコミュニケーション（の種類）の提案情報を作成する。そして、ＣＰＵ１１は、通信部１６により、情報通知装置３０Ａ，３０Ｂに、前記作成したコミュニケーションの提案情報を送信する。
【００２２】
操作部１２は、各種キーを有するキーボードを備え、ユーザからの各キーへの押下入力を受け付け、その押下入力に応じた操作情報をＣＰＵ１１に出力する。
【００２３】
ＲＡＭ１３は、揮発性の半導体メモリであり、各種データ及び各種プログラムを格納するワークエリアを有する。
【００２４】
表示部１４は、ＬＣＤ（Liquid Crystal Display）、ＥＬ（ElectroLuminescent）ディスプレイ等の表示パネルを備える表示部であり、ＣＰＵ１１やＲＡＭ１３から入力される表示情報に応じて表示パネルに各種表示を行う。
【００２５】
記憶部１５は、ハードディスク等の記録媒体を有し、当該記録媒体に情報の書き込み及び読み出しが可能な記憶部であり、各種データ及びプログラムが記憶される。記憶部１５には、第１のコミュニケーション提案プログラム１５１が記憶されている。
【００２６】
通信部１６は、ネットワークカード等の通信部であり、通信ネットワークＮに通信接続するとともに、通信ネットワークＮに通信接続された情報入力装置２０Ａ，２０Ｂ、情報通知装置３０Ａ，３０Ｂ等との通信を行う。
【００２７】
計時部１７は、計時回路を有し、現在の日時を計時してその日時情報をＣＰＵ１１に出力する。
【００２８】
次いで、図３を参照して、情報入力装置２０Ａの内部の機能構成を説明する。なお、情報入力装置２０Ｂの内部の機能構成は、情報入力装置２０Ａと同様であり、その説明を省略する。
【００２９】
図３に示すように、情報入力装置２０Ａは、ＣＰＵ２１と、ＲＡＭ２３と、記憶部２５と、通信部２６と、センサ部２７と、計時部２８と、を備える。情報入力装置２０Ａの各部は、バス２９を介して互いに接続されている。
【００３０】
ＣＰＵ２１、ＲＡＭ２３、通信部２６、計時部２８は、コミュニケーション提案装置１０のＣＰＵ１１、ＲＡＭ１３、通信部１６、計時部１７と同様であり、説明の重複を避けるため、異なる部分を主として説明する。
【００３１】
ＣＰＵ２１は、記憶部２５に記憶されている情報入力プログラム（図示略）に従い、所定時間毎に、センサ部２７にユーザＡの状況をセンシングさせ、通信部２６により、そのセンシングデータ等をコミュニケーション提案装置１０に送信する。
【００３２】
記憶部２５は、ＲＯＭ（Read Only Memory）等の記憶部であり、情報入力装置２０Ａのセンシング対象のユーザＡのユーザＩＤ、情報入力プログラム（図示略）等を記憶している。なお、記憶部２５が、不揮発性のメモリであり、センサ部２７で測定されたセンシングデータを一時的に記憶しておく構成としてもよい。
【００３３】
通信部２６は、通信ネットワークＮを介してコミュニケーション提案装置１０と通信を行う。センサ部２７は、有線又は無線で接続された複数のセンサを有し、当該複数のセンサでセンシングを行い、得られたセンシングデータをＣＰＵ１１に出力する。
【００３４】
センサ部２７は、センシング対象のユーザＡの状況をセンシングする複数のセンサを有する。具体的には、センサ部２７は、人感センサ２７１，２７２と、開閉センサ２７３と、温度センサ２７４と、照度センサ２７５，２７６と、マイク２７７と、人感センサ２７８，２７９と、を有する。
【００３５】
人感センサ２７１，２７２，２７８，２７９は、人間の所在のセンシングを行う。人感センサ２７１，２７２，２７８，２７９は、人間が放射する赤外線を検知して電気信号に変換し、その電気信号のデータ値をセンシングデータとしてＣＰＵ１１に出力する人感センサである。なお、人感センサ２７１，２７２，２７８，２７９は、所定方向に赤外線又は超音波を出力し、人間により反射又は遮断された赤外線又は超音波を検知する人感センサ等、他の人感センサとしてもよい。また、人感センサ２７１，２７２，２７８，２７９のセンシングデータは、人間が所在する可能性が高いほどデータ値が大きくなるよう設定されているものとする。このため、人感センサ２７１，２７２，２７８，２７９のセンシングデータが、所定の閾値以上となる場合に、人間が検知されたと判別され、当該閾値未満となる場合に、人間が検知されていないと判別される。
【００３６】
人感センサ２７１は、家２Ａのキッチンに設置され、当該キッチン内のユーザＡの所在を示すセンシングデータを出力する。人感センサ２７２は、家２Ａの食堂に設置され、当該食堂内のユーザＡの所在を示すセンシングデータを出力する。人感センサ２７８は、家２Ａのテレビルームに設置され、当該テレビルーム内のユーザＡの所在を示すセンシングデータを出力する。人感センサ２７９は、家２Ａのキッチン、食堂及びテレビルーム以外の全ての部屋に設置され、これらの部屋内のユーザＡの所在を示すセンシングデータを出力する。
【００３７】
開閉センサ２７３は、冷蔵庫の扉の開閉をセンシングし、その開閉を示すセンシングデータをＣＰＵ１１に出力する。開閉センサ２７３は、家２Ａのキッチンに置かれた冷蔵庫に設置され、当該冷蔵庫の扉の開閉を示すセンシングデータを出力する。
【００３８】
温度センサ２７４は、室内の温度をセンシングし、その温度を示すセンシングデータをＣＰＵ１１に出力する。温度センサ２７４は、家２Ａのキッチンに設置され、当該キッチン内の温度を示すセンシングデータを出力する。
【００３９】
照度センサ２７５，２７６は、室内の照度をセンシングし、その照度を示すデータ値をセンシングデータとしてＣＰＵ１１に出力する。照度センサ２７５は、家２Ａのリビングルームに設置され、当該リビングルーム内の照度を示すセンシングデータを出力する。照度センサ２７６は、家２Ａの寝室に設置され、当該寝室内の照度を示すセンシングデータを出力する。
【００４０】
マイク２７７は、テレビの音声をセンシングし、その音声の波形を示すデータ値をセンシングデータとしてＣＰＵ１１に出力する。マイク２７７は、家２Ａのテレビルームに設置され、当該テレビルームに置かれたテレビの音声を示すセンシングデータを出力する。
【００４１】
次いで、図４を参照して、情報通知装置３０Ａの内部の機能構成を説明する。なお、情報通知装置３０Ｂの内部の機能構成は、情報通知装置３０Ａと同様であり、その説明を省略する。
【００４２】
図４に示すように、情報通知装置３０Ａは、ＣＰＵ３１と、操作部３２と、ＲＡＭ３３と、表示部３４と、記憶部３５と、通信部３６と、を備える。情報通知装置３０Ａの各部は、バス３７を介して互いに接続されている。
【００４３】
ＣＰＵ３１、ＲＡＭ３３、表示部３４、記憶部３５、通信部３６は、コミュニケーション提案装置１０のＣＰＵ１１、ＲＡＭ１３、表示部１４、記憶部１５、通信部１６と同様であり、説明の重複を避けるため、異なる部分を主として説明する。
【００４４】
ＣＰＵ３１は、記憶部３５に記憶されている情報通知プログラム（図示略）に従い、通信部３６により、コミュニケーション提案装置１０から送信されたコミュニケーションの提案情報を受信し、表示部３４に表示する。
【００４５】
なお、情報通知装置３０Ａが、表示部３４を複数備え、各表示部３４が家Ａ内の各部屋に設置される構成としてもよい。記憶部３５は、情報通知プログラム（図示略）等を記憶している。
【００４６】
次に、図５〜図９を参照して、コミュニケーション提案システム１の動作を説明する。図５は、センシングデータとコミュニケーションの提案情報との流れを示す図である。図６は、第１のコミュニケーション提案処理を示すフローチャートである。図７は、第１のコミュニケーション提案処理の食事関連提案処理を示すフローチャートである。図８は、第１のコミュニケーション提案処理の就寝関連提案処理を示すフローチャートである。図９は、第１のコミュニケーション提案処理のテレビ関連提案処理を示すフローチャートである。
【００４７】
図５を参照して、コミュニケーション提案システム１におけるセンシングデータとコミュニケーションの提案情報との流れを説明する。以下、センシング対象のユーザがユーザＡ，Ｂであり、コミュニケーションの提案先がユーザＢであるケースを説明する。なお、センシング対象のユーザがユーザＡ，Ｂであり、コミュニケーションの提案先がユーザＡである構成も同様に実現でき、その説明を省略する。
【００４８】
先ず、コミュニケーション提案システム１において、家２Ａの情報入力装置２０Ａは、センサ部２７により、ユーザＡの状況を所定時間毎にセンシングし、そのセンシングデータをコミュニケーション提案装置１０に随時送信する。これと並行して、家２Ｂの情報入力装置２０Ｂは、ユーザＢの状況を所定時間毎にセンシングし、そのセンシングデータをコミュニケーション提案装置１０に随時送信する。
【００４９】
そして、コミュニケーション提案装置１０は、情報入力装置２０Ａ，２０Ｂから送信されたセンシングデータを受信する。コミュニケーション提案装置１０は、受信したセンシングデータを用いて、家２ＡのユーザＡと家２ＢのユーザＢとの状態を判別し、当該状態に応じて、提案先がユーザＢであるコミュニケーションの提案情報を作成する。提案先がユーザＢであるコミュニケーションの提案情報とは、ユーザＢがユーザＡに対してとるコミュニケーションの提案情報である。
【００５０】
そして、情報入力装置２０Ｂは、コミュニケーション提案装置１０から送信されたコミュニケーションの提案情報を受信し、表示部３４に表示することによりユーザＢに通知する。
【００５１】
次いで、図６〜図９を参照して、コミュニケーション提案装置１０で実行される第１のコミュニケーション提案処理を説明する。
【００５２】
第１のコミュニケーション提案処理は、コミュニケーション提案装置１０において、１日のうちの複数の所定時刻に実行されるものとする。なお、第１のコミュニケーション提案処理は、例えば、所定時間毎に繰り返し実行されることとしてもよい。
【００５３】
予め、情報入力装置２０Ａ，２０Ｂは、ユーザＡ，Ｂの状況をセンシングし、そのセンシングデータを、計時部２８のセンシング時の日時情報と、記憶部２５に記憶されたユーザＩＤと、に対応付けてコミュニケーション提案装置１０に随時アップロードしているものとする。コミュニケーション提案装置１０のＣＰＵ１１は、通信部１６により情報入力装置２０Ａ，２０Ｂから送信された日時情報、ユーザＩＤ及びセンシングデータを受信し、記憶部１５に記憶していく。
【００５４】
コミュニケーション提案装置１０において、計時部１７で計時された現在の時刻情報が所定時刻になったことをトリガとして、ＣＰＵ１１は、記憶部１５から読み出されて適宜ＲＡＭ１３に展開された第１のコミュニケーション提案プログラム１５１との協働で、第１のコミュニケーション提案処理を実行する。
【００５５】
図６に示すように、先ず、ＣＰＵ１１は、記憶部１５（の日時情報、ユーザＩＤ及びセンシングデータ。以下同様）を参照して、コミュニケーション提案先としてのユーザＢの家２Ｂの全ての人感センサ２７１，２７２，２７８，２７９の現在（最新）のセンシングデータが所定の閾値未満であるか否かを判別する（ステップＳ１）。人感センサ２７１，２７２，２７８，２７９のセンシングデータが閾値未満であることは、ユーザＢが家２Ｂ内の全ての部屋にいない状態を示す。人感センサ２７１，２７２，２７８，２７９のセンシングデータが閾値未満である場合（ステップＳ１；ＹＥＳ）、ＣＰＵ１１は、第１のコミュニケーション提案処理を終了する。
【００５６】
ここでは、第１のコミュニケーション提案処理で使用される各センサのセンシングデータを判別するための所定の閾値が、コミュニケーション提案装置１０に予め設定されており、センシングデータの送信元が情報入力装置２０Ａ，２０Ｂのどちらであっても同一の値であるものとして説明する。
【００５７】
人感センサ２７１，２７２，２７８，２７９の少なくとも１つのセンシングデータが閾値以上である場合（ステップＳ１；ＮＯ）、ＣＰＵ１１は、記憶部１５を参照して、家２Ｂのキッチンの人感センサ２７１と食堂の人感センサ２７２との現在のセンシングデータのいずれか１つが所定の閾値以上であるか否かを判別する（ステップＳ２）。家２Ｂのキッチンの人感センサ２７１と食堂の人感センサ２７２との現在のセンシングデータのいずれか１つが閾値以上であることは、ユーザＢが調理中又は食事中であることを示す。
【００５８】
人感センサ２７１又は人感センサ２７２のセンシングデータが閾値以上である場合（ステップＳ２；ＹＥＳ）、ＣＰＵ１１は、食事関連提案処理を実行し（ステップＳ３）、第１のコミュニケーション提案処理を終了する。
【００５９】
ここで、図７を参照して、ステップＳ３の食事関連提案処理を説明する。先ず、ＣＰＵ１１は、変数Ｍ＝０を設定する（ステップＳ３１）。そして、ＣＰＵ１１は、記憶部１５を参照して、家２Ｂのキッチンの人感センサ２７１の現在のセンシングデータが所定の閾値以上であるか、又は開閉センサ２７３の最新の単位時間の冷蔵庫の開閉回数のセンシングデータが所定の閾値以上であるか、又は温度センサ２７４の現在の温度のセンシングデータが所定の閾値以上であるか、否かを判別する（ステップＳ３２）。
【００６０】
家２Ｂのキッチンの人感センサ２７１の現在のセンシングデータが閾値以上であることは、ユーザＢがキッチンに所在して調理中である状態を示す。開閉センサ２７３の最新の単位時間の冷蔵庫の開閉回数のセンシングデータが閾値以上であることは、ユーザＢが冷蔵庫を頻繁に開閉して調理中である状態を示す。温度センサ２７４の現在の温度のセンシングデータが閾値以上であることは、加熱調理器が使用されキッチンの温度が上昇しておりユーザＢが調理中である状態を示す。
【００６１】
人感センサ２７１のセンシングデータが閾値以上であり、又は開閉回数のセンシングデータが閾値以上であり、又は温度のセンシングデータが閾値以上である場合（ステップＳ３２；ＹＥＳ）、ＣＰＵ１１は、ユーザＢが調理中であると判別し、変数Ｍに１を代入し（ステップＳ３３）、ステップＳ３２に移行する。
【００６２】
人感センサ２７１のセンシングデータが閾値未満であり、開閉回数のセンシングデータが閾値未満であり、温度のセンシングデータが閾値未満である場合（ステップＳ３２；ＮＯ）、ＣＰＵ１１は、変数Ｍが０であるか否かを判別する（ステップＳ３４）。変数Ｍが０であることは、ユーザＢが現在調理中でなく、食事中である状態を示す。変数Ｍが１であることは、ユーザＢが現在調理を終了し、食事前である状態を示す。
【００６３】
Ｍ＝１である場合（ステップＳ３４；ＮＯ）、ＣＰＵ１１は、ユーザＢが食事前の状態であると判別し、食事前にコミュニケーションを提案するか、食事中以後にコミュニケーションを提案するか、をランダムに選択し、当該選択結果が食事前にコミュニケーションを提案するか否かを判別する（ステップＳ３５）。
【００６４】
食事前にコミュニケーションを提案する場合（ステップＳ３５；ＹＥＳ）、ＣＰＵ１１は、ユーザＢが食事前の状態であると判別し、当該判別結果に応じて、ユーザＢのコミュニケーション相手としてのユーザＡへの料理写真をメール送信するコミュニケーションを決定し、当該コミュニケーションの内容の提案情報を作成する（ステップＳ３６）。料理写真をメール送信するコミュニケーションの提案情報は、例えば、「料理を写真で撮影して写真をメールで送ってみてはどうでしょう。」等のメッセージである。なお、ステップＳ３６では、ＣＰＵ１１が、料理写真を共有するコミュニケーションの提案情報として、例えば、「料理を写真で撮影して写真を写真共有サービスにアップロードしてみてはいかがでしょう」等のメッセージを作成する構成としてもよい。
【００６５】
Ｍ＝０である場合（ステップＳ３４；ＹＥＳ）、ＣＰＵ１１は、ユーザＢが食事中の状態であると判別し、当該判別結果に応じて、食事後にユーザＢのブログで料理の出来栄えを公開するコミュニケーションを決定し、当該コミュニケーションの内容の提案情報を作成する（ステップＳ３７）。ユーザＢのブログは、ユーザＡも閲覧するものとする。ブログで料理の出来栄えを公開するコミュニケーションの提案情報は、例えば、「今日の料理の出来栄えをブログにメモして公開してみましょう。」等のメッセージである。食事中以後にコミュニケーションを提案する場合（ステップＳ３５；ＮＯ）、ＣＰＵ１１は、ステップＳ３７に移行する。このとき、ＣＰＵ１１は、ユーザＢに食事中以後にコミュニケーションを提案する状態であると判別する。
【００６６】
そして、ＣＰＵ１１は、通信部１６により、ステップＳ３６又はＳ３７で作成した提案情報を、提案先であるユーザＢに対応する情報通知装置３０Ｂに送信し（ステップＳ３８）、食事関連提案処理を終了する。
【００６７】
図６に戻り、人感センサ２７１，２７２のセンシングデータが閾値未満である場合（ステップＳ２；ＮＯ）、ＣＰＵ１１は、記憶部１５を参照して、家２Ｂのリビングルームの照度センサ２７５の現在のセンシングデータが所定の閾値未満であり、且つ寝室の照度センサ２７６の現在のセンシングデータが所定の閾値以上であるか否かを判別する（ステップＳ４）。リビングルームの照度センサ２７５の現在のセンシングデータが閾値未満であることは、リビングルームの照明が消灯しており、ユーザＢがリビングルームに所在していない状態を示す。寝室の照度センサ２７６の現在のセンシングデータが閾値以上であることは、寝室の照明が点灯しており、ユーザＢが寝室に所在して起きている状態を示す。なお、ステップＳ４において、人感センサ２７９のリビングルーム及び寝室のセンサのセンシングデータを用いれば、ユーザＢがリビングルームに所在せず寝室に所在する状態を判別できる。照度センサ２７５，２７６による状態の判別結果と人感センサ２７９による状態の判別結果とを照合することで、ユーザＢの状態をより正確に判別できる。
【００６８】
照度センサ２７５のセンシングデータが閾値未満であり、且つ照度センサ２７６のセンシングデータが閾値以上である場合（ステップＳ４；ＹＥＳ）、ＣＰＵ１１は、就寝関連提案処理を実行し（ステップＳ５）、第１のコミュニケーション提案処理を終了する。
【００６９】
ここで、図８を参照して、ステップＳ５の就寝関連提案処理を説明する。先ず、ＣＰＵ１１は、記憶部１５を参照して、ユーザＢのコミュニケーション相手のユーザＡの家２Ａのリビングルームの照度センサ２７５と寝室の照度センサ２７６との現在のセンシングデータが所定の閾値未満であるか否かを判別する（ステップＳ５１）。リビングルームの照度センサ２７５と寝室の照度センサ２７６との現在のセンシングデータが所定の閾値未満であることは、リビングルーム及び寝室の照明が消灯しており、ユーザＡが寝室で就寝中である状態を示す。
【００７０】
照度センサ２７５，２７６のセンシングデータが閾値未満である場合（ステップＳ５１；ＹＥＳ）、ＣＰＵ１１は、ユーザＢが就寝前でユーザＡが就寝中である状態と判別し、当該判別結果に応じて、ユーザＡに明朝参照させるための伝言メッセージをメール送信するコミュニケーションを決定し、当該コミュニケーションの内容の提案情報を作成する（ステップＳ５２）。伝言メッセージをメール送信するコミュニケーションの提案情報は、例えば、「相手は寝ているようです。伝言メッセージをメールで送っておきましょう。」等のメッセージである。
【００７１】
照度センサ２７５又は２７６のセンシングデータが閾値以上である場合（ステップＳ５１；ＮＯ）、ＣＰＵ１１は、ユーザＢが就寝前でユーザＡが起きている状態と判別し、当該判別結果に応じて、ユーザＡに今日の出来事を電話で伝えるコミュニケーションを決定し、当該コミュニケーションの内容の提案情報を作成する（ステップＳ５３）。今日の出来事の電話を促すコミュニケーションの提案情報は、例えば、「今日一日の出来事を電話で伝えてみてはどうですか？」等のメッセージである。なお、ステップＳ５３では、ＣＰＵ１１が、就寝前の挨拶の電話を促すコミュニケーションの提案情報を作成する構成としてもよい。当該提案情報は、例えば、「電話でおやすみの挨拶をしてみては？」等のメッセージである。
【００７２】
そして、ＣＰＵ１１は、通信部１６により、ステップＳ５２又はＳ５３で作成した提案情報を、提案先であるユーザＢに対応する情報通知装置３０Ｂに送信し（ステップＳ５４）、就寝関連提案処理を終了する。
【００７３】
図６に戻り、照度センサ２７５のセンシングデータが閾値未満であり、且つ照度センサ２７６のセンシングデータが閾値以上でない場合（ステップＳ４；ＮＯ）、ＣＰＵ１１は、記憶部１５を参照して、家２Ｂのテレビルームの人感センサ２７８の現在のセンシングデータが所定の閾値以上であり、且つテレビルームのマイク２７７の現在のセンシングデータが所定の閾値以上であるか、否かを判別する（ステップＳ６）。マイク２７７の現在のセンシングデータが所定の閾値以上であることは、テレビルームのテレビがつけられている状態を示す。なお、情報入力装置２０Ａ，２０Ｂのセンサ部２７が、テレビルームに設置された音圧センサを備える構成としてもよい。この音圧センサは、センシングした音圧のセンシングデータを出力する。この構成では、ステップＳ６において、マイク２７７に代えて音圧センサの現在のセンシングデータが所定の閾値以上であるか否かが判別される。
【００７４】
人感センサ２７８のセンシングデータが閾値未満であり、又はマイク２７７のセンシングデータが閾値未満である場合（ステップＳ６；ＮＯ）、ＣＰＵ１１は、第１のコミュニケーション提案処理を終了する。
【００７５】
人感センサ２７８のセンシングデータが閾値以上であり、且つマイク２７７のセンシングデータが閾値以上である場合（ステップＳ６；ＹＥＳ）、ＣＰＵ１１は、テレビ関連提案処理を実行し（ステップＳ７）、第１のコミュニケーション提案処理を終了する。
【００７６】
ここで、図９を参照して、ステップＳ７のテレビ関連提案処理を説明する。先ず、ＣＰＵ１１は、記憶部１５を参照して、家２Ａと家２Ｂとのテレビルームのマイク２７７の現在のセンシングデータの波形パターンの一致度が所定の閾値以上であるか否かを判別する（ステップＳ７１）。家２Ａと家２Ｂとのテレビルームのマイク２７７の現在のセンシングデータの波形パターンの一致度が所定の閾値以上であることは、家２ＡでユーザＡが視聴中のテレビの番組と家２ＢでユーザＢが視聴中のテレビの番組とが同じである状態を示す。家２Ａと家２Ｂとのテレビルームのマイク２７７の現在のセンシングデータの波形パターンの一致度が所定の閾値未満であることは、ユーザＡが、テレビを視聴していないか、ユーザＢの視聴中の番組と異なる番組を視聴中である状態を示す。
【００７７】
マイク２７７のセンシングデータの一致度が閾値以上でない場合（ステップＳ７１；ＮＯ）、ＣＰＵ１１は、ユーザＡがユーザＢの視聴中の番組を視聴していない状態と判別し、当該判別結果に応じて、ユーザＡにユーザＢが現在視聴中の番組をメール送信するコミュニケーションを決定し、当該コミュニケーションの内容の提案情報を作成する（ステップＳ７２）。現在視聴中の番組をメール送信するコミュニケーションの提案情報は、例えば、「今見ている番組をメールで勧めてみませんか？」等のメッセージである。
【００７８】
マイク２７７のセンシングデータの一致度が閾値以上である場合（ステップＳ７１；ＹＥＳ）、ＣＰＵ１１は、ユーザＡ，Ｂが同じ番組を視聴中である状態と判別し、当該判別結果に応じて、ユーザＡへの現在視聴中の同じ番組の感想をツイートすることを呼びかけるコミュニケーションを決定し、当該コミュニケーションの内容の提案情報を作成する（ステップＳ７３）。現在視聴中の同じ番組の感想をツイートすることを呼びかけるコミュニケーションの提案情報は、例えば、「感想を互いにツイートしながら番組を観てみてはどうでしょう。」等のメッセージである。
【００７９】
ツイートするとは、Twitter（登録商標）のウェブサイトにツイートと称される短文を投稿することである。投稿したツイートが当該ウェブサイトで公開されるため、ユーザＡ，Ｂは、互いの投稿内容を参照しつつ、新たにツイートすることができる。例えば、情報通知装置３０Ａ，３０Ｂにおいて、記憶部３５にブラウザのアプリケーションプログラムが記憶されているものとする。ＣＰＵ３１は、当該プログラムを起動し、ブラウザを前記ウェブサイトに接続することで、操作部３２を介するツイートの入力受付と、通信部３６を介したウェブサイトのサーバとのツイート等の送受信と、表示部３４でのツイートの表示と、を実現する。
【００８０】
そして、ＣＰＵ１１は、通信部１６により、ステップＳ７２又はＳ７３で作成した提案情報を、提案先であるユーザＢに対応する情報通知装置３０Ｂに送信し（ステップＳ７４）、テレビ関連提案処理を終了する。
【００８１】
第１のコミュニケーション提案処理において、コミュニケーション提案装置１０から送信されたコミュニケーションの提案情報は、情報通知装置３０Ｂで通信部３６により受信される。そして、ＣＰＵ３１は、受信したコミュニケーションの提案情報を表示部３４に表示する。ユーザＢは、表示されたコミュニケーションの提案情報を参照し、当該コミュニケーションの提案情報を参考にして、実際にユーザＡに対してコミュニケーションをとる。
【００８２】
なお、情報通知装置３０Ｂは、受信したコミュニケーションの提案情報に対応するアプリケーションプログラムを自動的に起動する構成としてもよい。例えば、受信した提案情報がメールでのコミュニケーションを提案している場合に、情報通知装置３０ＢのＣＰＵ３１は、当該提案情報を表示部３４に表示するとともに、記憶部３５からメール作成ソフトウェアのプログラムを自動的に読み出して実行する。
【００８３】
以上、本実施の形態によれば、情報入力装置２０Ａ，２０Ｂは、ユーザＡ，Ｂの状況をセンシングする。コミュニケーション提案装置１０は、通信部１６により、情報入力装置２０Ａ，２０Ｂからセンシングデータを受信し、ＣＰＵ１１が、前記受信されたセンシングデータに基づいて、コミュニケーションの種類を決定し、当該決定したコミュニケーション（の種類）の提案情報を作成する。そして、ＣＰＵ１１は、通信部１６により、情報通知装置３０Ｂに、前記作成されたコミュニケーションの提案情報を送信する。情報通知装置３０Ｂは、受信したコミュニケーションの提案情報を表示部３４に表示する。
【００８４】
このため、センシング対象のユーザＡ，Ｂの状況に応じて、適切なコミュニケーションを提案先のユーザＢに提案することができる。ユーザＢは、通知され情報通知装置３０Ｂで表示された提案情報を参照して、どのようなコミュニケーションをとればよいのかを認識できる。また、ユーザＢは、提案情報の参照により、コミュニケーションをとるべきタイミングを認識できる。さらに、ユーザＢにコミュニケーションを定期的に提案すること自体が、ユーザＢがコミュニケーションをとることへの気付きに繋げることができる。
【００８５】
また、コミュニケーション提案装置１０は、前記受信されたセンシングデータに基づいて、センシング対象のユーザＡ，Ｂの状態を判別し、当該判別した状態に応じてコミュニケーションを決定する。このため、センシング対象のユーザの状態に応じたより適切なコミュニケーションを提案できる。
【００８６】
また、コミュニケーション提案装置１０は、通信部１６によりセンシング対象のユーザとして、提案先のユーザＢの状況をセンシングしたセンシングデータを受信する。ＣＰＵ１１は、受信されたユーザＢのセンシングデータに基づいて、コミュニケーションの種類を決定する。このため、提案先のユーザＢの状況に応じた適切な内容のコミュニケーションをユーザＢに適切なタイミングでユーザＢに提案できる。
【００８７】
また、コミュニケーション提案装置１０は、通信部１６によりセンシング対象のユーザとして、提案先のユーザＢとコミュニケーションの相手のユーザＡとの状況をセンシングしたセンシングデータを受信する。ＣＰＵ１１は、受信されたユーザＡ，Ｂのセンシングデータに基づいて、コミュニケーションの種類を決定する。このため、提案先のユーザＢとコミュニケーションの相手のユーザＡとの両方の状況に応じた適切な内容のコミュニケーションをユーザＡ，Ｂの両方に適切なタイミングでユーザＢに提案できる。
【００８８】
また、ＣＰＵ１１は、ユーザＢが食事前であり、食事前及び食事後のコミュニケーションをとりうる場合に、当該食事前及び食事後のコミュニケーションの種類からランダムに１つを選択してコミュニケーションの種類を決定する。このため、提案先のユーザＢが予測していないコミュニケーションを提案できる。予測していないコミュニケーションの提案により、ワンパターンでないコミュニケーションを提案でき、ユーザＢのコミュニケーションの意欲が下がることを防止できる。
【００８９】
（変形例）
ここで、図１０を参照して、上記実施の形態の変形例を説明する。図１０は、第２のコミュニケーション提案処理を示すフローチャートである。
【００９０】
上記実施の形態は、ユーザＡ，Ｂの両方又はユーザＢの状況のセンシングデータに基づいて、提案先のユーザＢに提案するコミュニケーションの提案情報を作成する構成であった。本変形例では、ユーザＡの状況のセンシングデータに基づいて、提案先のユーザＢに提案するコミュニケーションの提案情報を作成する構成を説明する。なお、センシング対象のユーザがユーザＢであり、コミュニケーションの提案先がユーザＡである構成も同様に実現でき、その説明を省略する。
【００９１】
本変形例の装置として、上記実施の形態と同様に、コミュニケーション提案システム１を用いる。但し、コミュニケーション提案装置１０の記憶部１５には、第１のコミュニケーション提案プログラム１５１に代えて、第２のコミュニケーション提案プログラム（図示略）が記憶されているものとする。
【００９２】
次に、本変形例におけるコミュニケーション提案システム１の動作を説明する。図１０を参照して、コミュニケーション提案装置１０で実行される第２のコミュニケーション提案処理を説明する。
【００９３】
また、予め、情報入力装置２０Ａは、ユーザＡの状況をセンシングし、そのセンシングデータを、計時部２８のセンシング時の日時情報と、記憶部２５に記憶されたユーザＡのユーザＩＤと、に対応付けてコミュニケーション提案装置１０に随時アップロードしているものとする。コミュニケーション提案装置１０は、情報入力装置２０Ａから送信された日時情報、ユーザＩＤ及びセンシングデータを受信し、記憶部１５に記憶する。
【００９４】
コミュニケーション提案装置１０において、計時部１７で計時された現在の日時情報が所定日時になったことをトリガとして、ＣＰＵ１１は、記憶部１５から読み出されて適宜ＲＡＭ１３に展開された第２のコミュニケーション提案プログラムとの協働で、第２のコミュニケーション提案処理を実行する。
【００９５】
図１０に示すように、先ず、ＣＰＵ１１は、記憶部１５を参照して、コミュニケーション提案先としてのユーザＢのコミュニケーションの相手としてのユーザＡの家２Ａのキッチンの人感センサ２７１と食堂の人感センサ２７２との現在のセンシングデータのいずれか１つが所定の閾値以上であるか否かを判別する（ステップＳ１０１）。
【００９６】
人感センサ２７１又は２７２のセンシングデータが閾値以上である場合（ステップＳ１０１；ＹＥＳ）、ＣＰＵ１１は、家２Ａのキッチンの人感センサ２７１の現在のセンシングデータが所定の閾値以上であるか、又は開閉センサ２７３の最新の単位時間の冷蔵庫の開閉回数のセンシングデータが所定の閾値以上であるか、又は温度センサ２７４の現在の温度のセンシングデータが所定の閾値以上であるか、否かを判別する（ステップＳ１０２）。
【００９７】
人感センサ２７１のセンシングデータが閾値以上であり、又は開閉回数のセンシングデータが閾値以上であり、又は温度のセンシングデータが閾値以上である場合（ステップＳ１０２；ＹＥＳ）、ＣＰＵ１１は、ユーザＡが調理中である状態と判別し、当該判別結果に応じて、第２のコミュニケーション提案処理を終了する。ここでは、ユーザＡが調理行動中であるため、危険防止のため、電話によるコミュニケーションの提案を行っていない。
【００９８】
人感センサ２７１のセンシングデータが閾値未満であり、開閉回数のセンシングデータが閾値未満であり、温度のセンシングデータが閾値未満である場合（ステップＳ１０２；ＮＯ）、ＣＰＵ１１は、ユーザＡが食事中である状態と判別し、当該判別結果に応じて、ユーザＡへの食事中のメニュー問い合わせの電話を行うコミュニケーションを決定し、当該コミュニケーションの内容の提案情報を作成する（ステップＳ１０３）。食事中のメニュー問い合わせの電話を行うコミュニケーションの提案情報は、例えば、「相手が食事中のようです。食事のメニューを電話で聞いてみては？」等のメッセージである。なお、コミュニケーションの通信手段にテレビ電話を用いる構成としてもよい。この場合に、食事中のメニュー問い合わせの電話を行うコミュニケーションの提案情報は、例えば、「相手が食事中のようです。食事のメニューをテレビ電話で見せてもらっては？」等のメッセージとなる。
【００９９】
人感センサ２７１，２７２のセンシングデータが閾値未満である場合（ステップＳ１０１；ＮＯ）、ＣＰＵ１１は、記憶部１５を参照して、家２Ａのリビングルームの照度センサ２７５の現在のセンシングデータが所定の閾値未満であり、且つ寝室の照度センサ２７６の現在のセンシングデータが所定の閾値以上であるか否かを判別する（ステップＳ１０４）。
【０１００】
照度センサ２７５のセンシングデータが閾値未満であり、且つ照度センサ２７６のセンシングデータが閾値以上でない場合（ステップＳ１０４；ＮＯ）、ＣＰＵ１１は、ユーザＡが調理中、食事中又は就寝前でない状態と判別し、当該判別結果に応じて、第２のコミュニケーション提案処理を終了する。
【０１０１】
照度センサ２７５のセンシングデータが閾値未満であり、且つ照度センサ２７６のセンシングデータが閾値以上である場合（ステップＳ１０４；ＹＥＳ）、ＣＰＵ１１は、ユーザＡが就寝前である状態と判別し、当該判別結果に応じて、ユーザＡに明日の予定の問合せの電話を行うコミュニケーションを決定し、当該コミュニケーションの内容の提案情報を作成する（ステップＳ１０５）。明日の予定の問合せの電話を行うコミュニケーションの提案情報は、例えば、「相手がもうすぐ就寝です。明日の予定を電話で尋ねてみては？」等のメッセージである。
【０１０２】
そして、ＣＰＵ１１は、通信部１６により、ステップＳ１０３又はＳ１０５で作成した提案情報を、提案先であるユーザＢに対応する情報通知装置３０Ｂに送信し（ステップＳ１０６）、第２のコミュニケーション提案処理を終了する。
【０１０３】
以上、本変形例によれば、情報入力装置２０Ａは、ユーザＡの状況をセンシングする。コミュニケーション提案装置１０は、通信部１６により、情報入力装置２０Ａからセンシングデータを受信し、ＣＰＵ１１が、前記受信されたセンシングデータに基づいて、コミュニケーションの種類を決定し、当該決定したコミュニケーションの提案情報を作成する。そして、ＣＰＵ１１は、通信部１６により、情報通知装置３０Ｂに、前記作成されたコミュニケーション（の種類）の提案情報を送信する。情報通知装置３０Ｂは、受信したコミュニケーションの提案情報を表示部３４に表示する。
【０１０４】
このため、センシング対象のユーザＡの状況に応じて、適切なコミュニケーションを提案先のユーザＢに提案することができる。ユーザＢは、通知され情報通知装置３０Ｂで表示された提案情報を参照して、どのようなコミュニケーションをとればよいのかを認識できる。また、コミュニケーションの相手のユーザＡの状況に応じた適切な内容のコミュニケーションをユーザＡに適切なタイミングでユーザＢに提案できる。
【０１０５】
以上の説明では、本発明に係るプログラムのコンピュータ読み取り可能な媒体として記憶部１５のハードディスクを使用した例を開示したが、この例に限定されない。
その他のコンピュータ読み取り可能な媒体として、フラッシュメモリ等の不揮発性メモリ、ＣＤ−ＲＯＭ等の可搬型記録媒体を適用することが可能である。
また、本発明に係るプログラムのデータを通信回線を介して提供する媒体として、キャリアウエーブ（搬送波）も本発明に適用される。
【０１０６】
なお、上記実施の形態及び変形例における記述は、本発明に係るコミュニケーション提案装置、コミュニケーション提案方法及びプログラムの一例であり、これに限定されるものではない。
【０１０７】
上記実施の形態及び変形例では、情報通知装置３０Ａ，３０Ｂが、コミュニケーションの提案情報を受信して表示部３４の表示で通知することにより、ユーザＡ，Ｂに提案情報を通知する構成であったが、通知方法はこれに限定されるものではない。例えば、情報通知装置３０Ａ，３０Ｂが、音声出力部を備え、受信した提案情報を当該音声出力部に音声出力させることにより、ユーザＡ，Ｂに提案情報を通知する構成としてもよい。
【０１０８】
また、上記実施の形態及び変形例では、情報入力装置２０Ａ，２０Ｂのセンサ部２７が、人感センサ、開閉センサ、温度センサ、照度センサ、マイクを備える構成としたが、これに限定されるものではなく、他のセンサを備える構成としてもよい。例えば、センサ部２７が、家の中でユーザに使用される家電機器の消費電力をセンシングする電力センサを含み、当該電力センサによりユーザの家電機器の使用状況をセンシングする構成としてもよい。
【０１０９】
また、上記実施の形態及び変形例では、第１、第２のコミュニケーション提案処理で使用されるセンサ部２７の各センサのセンシングデータの閾値が、全ての家（ユーザ）で同一の値である構成としたが、これに限定されるものではない。各センサのセンシングデータの閾値が、各家で異なる値とする構成としてもよい。このとき、各センサの閾値を決めるために、各家の過去のセンシングデータの履歴を参照してもよい。例えば、ある部屋で過去の所定期間の照度のセンシングデータの変化の幅がＬ１〜Ｍ１である場合に、その幅内に照度センサの閾値を設定する構成としてもよい。また、例えば、あるテレビルームで過去の所定期間の音圧のセンシングデータの変化の幅がＬ２〜Ｍ２である場合に、そのセンシングデータの平均値を音圧センサの閾値とする構成としてもよい。
【０１１０】
また、上記実施の形態及び変形例では、電話やメール等の１つのコミュニケーション手段を提案するコミュニケーションの提案情報を作成する構成としたが、これに限定されるものではない。複数のコミュニケーション手段を提案するコミュニケーションの提案情報を作成する構成としてもよい。その際、過去のコミュニケーションの履歴を参考にして、提案するコミュニケーション手段を設定しても良い。例えば、過去にユーザＡがある状態であった時に、メールよりも電話をする頻度が高かったので、ユーザＡに対して、電話に重みをつけたコミュニケーション手段の提案をするコミュニケーションの提案情報を作成する構成としてもよい。
【０１１１】
また、上記実施の形態及び変形例では、センシングデータが閾値以上であるか否かの判別に応じてコミュニケーションを決定する構成を説明したが、これに限定されるものではない。例えば、各種センシングデータから、センシング対象のユーザの忙しさを解析し、当該忙しさに応じてコミュニケーションを決定する構成としてもよい。忙しさの解析には、従来の忙しさ解析方法が用いられる。例えば、情報入力装置２０Ａ，２０Ｂのセンサ部２７が、複数の場所に設置された人感センサ、ユーザに装着された加速度センサ、ユーザのキー入力をセンシングするセンサ等を備える。コミュニケーション提案装置１０は、これらのセンサのセンシングデータを解析して忙しさの度合いを算出し、当該忙しさの度合いに応じたコミュニケーションを決定する。例えば、センシング対象のユーザの忙しさの度合いが大きければ、「用事があればメールを送ってみてはいかがでしょう？」等のメッセージのコミュニケーションが決定される。
【０１１２】
また、上記実施の形態及び変形例では、ユーザＡ，Ｂが同一の家族に所属し、施設としての家２ＡのユーザＡと、家２ＢのユーザＢとに、コミュニケーションを提案するコミュニケーション提案システム１を説明したが、これに限定されるものではない。例えば、ユーザＡ，Ｂが同一の企業、自治体等のグループに所属し、施設としての第１の拠点（事務所等）で働くユーザＡと、第２の拠点で働くユーザＢとに、コミュニケーションを提案するコミュニケーション提案システムとしてもよい。
【０１１３】
また、上記実施の形態では、第１のコミュニケーション提案プログラム１５１に、メッセージが含まれている構成としたが、これに限定されるものではない。例えば、ユーザの状態（センシングデータの条件）と、コミュニケーションの種類と、メッセージと、のフィールドを有するテーブルを用意して記憶部１５に記憶しておく。そして、第１のコミュニケーション提案処理の実行時に、ＣＰＵ１１は、前記テーブルからセンシングデータに基づくユーザの状態に対応するメッセージを選択して読み出して、コミュニケーションの提案情報を作成する構成としてもよい。
【０１１４】
また、上記実施の形態及び変形例におけるコミュニケーション提案システム１の各構成要素の細部構成及び細部動作に関しては、本発明の趣旨を逸脱することのない範囲で適宜変更可能であることは勿論である。
【０１１５】
本発明の実施の形態及び変形例を説明したが、本発明の範囲は、上述の実施の形態及び変形例に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
センサ手段からユーザの状況を示すセンシングデータを受信する受信手段と、
前記受信されたセンシングデータに基づいて、コミュニケーションの種類を決定し、当該決定したコミュニケーションの種類の提案情報を作成する提案情報作成手段と、
前記作成されたコミュニケーションの種類の提案情報を提案先の情報通知装置に送信する送信手段と、を備えるコミュニケーション提案装置。
＜請求項２＞
前記提案情報作成手段は、前記受信されたセンシングデータに基づいて、前記ユーザの状態を判別し、当該判別した状態に応じてコミュニケーションの種類を決定する請求項１に記載のコミュニケーション提案装置。
＜請求項３＞
前記受信手段は、前記ユーザとして、提案先ユーザのコミュニケーションの相手ユーザの状況をセンシングしたセンシングデータを受信し、
前記提案情報作成手段は、前記受信された相手ユーザのセンシングデータに基づいて、コミュニケーションの種類を決定する請求項１又は２に記載のコミュニケーション提案装置。
＜請求項４＞
前記受信手段は、前記ユーザとして、前記提案先ユーザの状況をセンシングしたセンシングデータを受信し、
前記提案情報作成手段は、前記受信された提案先ユーザのセンシングデータに基づいて、コミュニケーションの種類を決定する請求項１又は２に記載のコミュニケーション提案装置。
＜請求項５＞
前記受信手段は、前記ユーザとして、前記提案先ユーザのコミュニケーションの相手ユーザと当該提案先ユーザとの状況をセンシングしたセンシングデータを受信し、
前記提案情報作成手段は、前記受信された相手ユーザ及び提案先ユーザのセンシングデータに基づいて、コミュニケーションの種類を決定する請求項１又は２に記載のコミュニケーション提案装置。
＜請求項６＞
前記提案情報作成手段は、センシングデータに基づくコミュニケーションの種類が複数ある場合に、当該複数のコミュニケーションの種類からランダムに選択してコミュニケーションの種類を決定する請求項１から５のいずれか一項に記載のコミュニケーション提案装置。
＜請求項７＞
センサからユーザの状況を示すセンシングデータを受信する受信工程と、
前記受信されたセンシングデータに基づいて、コミュニケーションの種類を決定し、当該決定したコミュニケーションの種類の提案情報を作成する提案情報作成工程と、
前記作成されたコミュニケーションの種類の提案情報を提案先の情報通知装置に送信する送信工程と、
を含むコミュニケーション提案方法。
＜請求項８＞
コンピュータを、
センサ手段からユーザの状況を示すセンシングデータを受信する受信手段、
前記受信されたセンシングデータに基づいて、コミュニケーションの種類を決定し、当該決定したコミュニケーションの種類の提案情報を作成する提案情報作成手段、
前記作成されたコミュニケーションの種類の提案情報を提案先のユーザの情報通知装置に送信する送信手段、
として機能させるプログラム。
【符号の説明】
【０１１６】
１  コミュニケーション提案システム
１０  コミュニケーション提案装置
１１  ＣＰＵ
１２  操作部
１３  ＲＡＭ
１４  表示部
１５  記憶部
１６  通信部
１７  計時部
１８  バス
２０Ａ，２０Ｂ  情報入力装置
２１  ＣＰＵ
２３  ＲＡＭ
２５  記憶部
２６  通信部
２７  センサ部
２７１，２７２，２７８，２７９  人感センサ
２７３  開閉センサ
２７４  温度センサ
２７５，２７６  照度センサ
２７７  マイク
２８  計時部
２９  バス
３０Ａ，３０Ｂ  情報通知装置
３１  ＣＰＵ
３２  操作部
３３  ＲＡＭ
３４  表示部
３５  記憶部
３６  通信部
３７  バス
Ｎ  通信ネットワーク
【図１】
2014063291.tif 000003
【図２】
2014063291.tif 000004
【図３】
2014063291.tif 000005
【図４】
2014063291.tif 000006
【図５】
2014063291.tif 000007
【図６】
2014063291.tif 000008
【図７】
2014063291.tif 000009
【図８】
2014063291.tif 000010
【図９】
2014063291.tif 000011
【図１０】
2014063291.tif 000012